(57)【特許請求の範囲】
【請求項１】
建物内部の垂直方向に連通した開口部に設けられるリフターであって、任意の階の開口部に着脱する下部保持部材が出入自在に設けられた本体フレームと、この本体フレームに装備された伸縮部材と、この伸縮部材の上端部に取り付けられ、所要の階の開口部に着脱する上部保持部材が出入自在に設けられた昇降フレームとを備え、作業時には、前記本体フレームを下階の開口部に前記下部保持部材を介して仮固定すると共に、前記伸縮部材を伸ばして前記昇降フレームを上昇させ、本体フレームを上階に盛り替える時には、昇降フレームを所要の階の開口部に前記上部保持部材を介して仮固定すると共に前記伸縮部材を縮めて本体フレームを引き上げる開口用リフターにおいて、前記昇降フレームに吊り部材を取り付け、その下端部を前記本体フレームが仮固定されている階より下方の階に位置させ、下方階で組み付けた型枠ユニットを前記吊り部材に保持させ、前記昇降フレームを上昇させることにより前記型枠ユニットを所要の階まで吊り上げることを特徴とする開口用リフター。
【発明の詳細な説明】
【０００１】
【発明の属する技術分野】
本発明は、建物内部の開口部に設置して使用する開口用リフターに関する。
【０００２】
【従来の技術】
近年、急増しているＲＣ造（鉄筋コンクリート造）の高層、超高層建物等の建設においては、工期短縮、コストの低減の観点から、様々な工業化工法が採用されている。その中でも、梁を対象とするシステム型枠は採用される事例が多くなっている。
このシステム型枠は揚重、運搬、設置、コンクリート打設、脱型、移動のサイクルで使用されるが、サイクルをいかに短縮させて能率アップを図るかが問題となり、その一解決策としてシステム型枠の迅速な盛り替えが要求される。上階への盛り替えに際してはシステム型枠の揚重が必要であり、従来例えば次のような揚重方法が採られている。
（１）建物内部の開口部又は外周部に荷受けステージを設け、このステージ上まで搬送したシステム型枠をタワークレーン等で上階まで揚重する。
（２）建物内部の開口部又は外周部に型枠盛り替え作業を主対象とする専用のリフトを設置し、これを利用して上階まで揚重する。
【０００３】
【発明が解決しようとする課題】
しかしながら、上記従来のタワークレーンによる場合は、タワークレーンをかなり長時間拘束することとなり、鉄筋等他の資材の揚重作業に支障を来たし、又荷受けステージ自体の盛り替えにもクレーンが必要になる等の問題がある。
一方、専用のリフトによる場合には、設置後は効率の良い揚重作業が得られるものの、レールの設置や盛り替え作業等に手間が掛かる問題がある。そのため、現在は盛り替えにクレーンを必要としないセルフクライミング方式のリフトも実用化されてはいるが、この場合多くの作業者や指導員が必要となり、コスト面から負担が大きくなってしまう。
【０００４】
本発明は、このような従来の問題を解決するためになされ、セルフクライミング方式であって、少人数で効率良く揚重作業ができ、盛り替えも簡単にできるようにした開口用リフターを提供することを目的とする。
【０００５】
【課題を解決するための手段】
この目的を達成するための技術的手段として、本発明は、建物内部の垂直方向に連通した開口部に設けられるリフターであって、任意の階の開口部に着脱する下部保持部材が出入自在に設けられた本体フレームと、この本体フレームに装備された伸縮部材と、この伸縮部材の上端部に取り付けられ、所要の階の開口部に着脱する上部保持部材が出入自在に設けられた昇降フレームとを備え、作業時には、前記本体フレームを下階の開口部に前記下部保持部材を介して仮固定すると共に、前記伸縮部材を伸ばして前記昇降フレームを上昇させ、本体フレームを上階に盛り替える時には、昇降フレームを所要の階の開口部に前記上部保持部材を介して仮固定すると共に前記伸縮部材を縮めて本体フレームを引き上げる開口用リフターにおいて、前記昇降フレームに吊り部材を取り付け、その下端部を前記本体フレームが仮固定されている階より下方の階に位置させ、下方階で組み付けた型枠ユニットを前記吊り部材に保持させ、前記昇降フレームを上昇させることにより前記型枠ユニットを所要の階まで吊り上げることを特徴とする開口用リフターを要旨とする。
【０００６】
【発明の実施の形態】
以下、本発明の実施の形態を添付図面に基づいて詳説する。
図１は、本発明に係る開口用リフターの実施形態を示すものである。これはシザース式リフターであり、図１(イ)、(ロ)に示すようにフレーム材によりほぼボックス状に形成された本体フレーム２１と、この本体フレーム２１に装備された伸縮部材２２と、この伸縮部材２２の上端部に取り付けられた昇降フレーム２３とを備えている。
【０００７】
前記本体フレーム２１は、建物内部の垂直方向に連通する開口部２４を通過できる大きさに設定され、上端部には任意階の開口部２４に着脱する下部保持部材２５、例えば摺動式又は回転式のアウトリガーが出入自在に左右にそれぞれ一対設けられ、この下部保持部材２５を突出させて開口部２４に受止（詳しくは開口部周縁の床や梁に受止）させると、開口部２４にぶら下がり状態で仮固定される。更に、本体フレーム２１の側部の下方には、動力源及び制御装置２９が取り付けられている。
【０００８】
前記伸縮部材２２は、２つのアーム２２ａをＸ型に交差させてその交差部をピン２２ｂで枢支した構成部材が複数個ピン２２ｃで連結された所謂シザース式伸縮ユニットであり、前記制御装置２９により作動されて上下方向に自在に伸縮することができ、最大限縮めると図１(イ)に仮想線で示すように前記本体フレーム２１内に格納されるようにしてある。
【０００９】
前記昇降フレーム２３は、開口部２４を通過できる大きさに設定され、下端部には所要階の開口部２４に着脱する上部保持部材３１、例えば摺動式又は回転式のアウトリガーが出入自在に左右にそれぞれ一対設けられており、この上部保持部材３１を突出させて開口部２４に受止させると水平状態で保持される。
【００１０】
又、昇降フレーム２３の左右端部には動力又は手動操作の可倒式のスロープ３２が設けられ、このスロープ３２を倒すと図１(ロ)のように昇降フレーム２３のプレート２３ａと床Ｓとが連結される。更に、昇降フレーム２３の前後端部には網枠状養生柵３３が立設され、前記左右のスロープ３２を跳ね上げた際には昇降フレーム２３の周囲を取り囲めるようにしてある。
【００１１】
このように構成された本発明に係る開口用リフターは、システム型枠や建築資材を昇降フレーム２３に載せて上階に揚重できると共に、本体フレーム２１自体の上階への盛り替えも簡単に行うことができる。
【００１２】
図２はリフターの設置又は撤去時の動作シーケンスを示すもので、リフターの設置は先ず(イ)のようにリフター全体を建物内部の開口部２４の上方からクレーンＫ等を用いて吊り込み、(ロ)のように設置階近傍までリフターを吊り下した後、本体フレーム２１に装備された下部保持部材２５を突出させる。次いで、(ハ)のように更に下げて下部保持部材２５を設置階の開口部２４に着床させ、(ニ)のように下部保持部材２５をアンカーボルト（図略）等に仮固定してクレーンＫのフックＦを外す。リフターの撤去はほぼこの逆の動作シーケンスで行う。
【００１３】
図３はリフターの作業時の動作シーケンスを示すもので、(イ)のようにシステム型枠等の資材（図略）を昇降フレーム２３上に運搬、積載した後、可倒式のスロープ３２を跳ね上げてゲートを閉じ、(ロ)又は(ハ)のようにリモコン（図略）等を操作して伸縮部材２２を作動させ、昇降フレーム２３を所定階まで上昇させる。到着後、ゲートを開け、スロープ３２を倒してシステム型枠等の資材を引き出す。
【００１４】
図４(イ)、(ロ)は実際の揚重作業の様子を示すものであり、荷受け側の階には作業者を待機させ、速やかに受け渡しが完了するようにする。このようにして、システム型枠等の資材の揚重を効率良く行うことができる。尚、図においてＧは開口部を取り囲むようにして設置した開閉式の保護柵である。
【００１５】
図５は本体フレーム２１を上階に盛り替える時の動作シーケンスを示すもので、(イ)のように昇降フレーム２３を所要階のやや上方まで揚げ越し、上部保持部材３１を突出させた後、(ロ)のように昇降フレーム２３をゆっくり下降させて上部保持部材３１を着床させる。この後、本体フレーム２１の下部保持部材２５の仮固定を解除して本体フレーム２１を少し引き上げると共に、(ハ)のように下部保持部材２５を格納した状態で伸縮部材２２を縮小させることにより、本体フレーム２１を更に所定の高さまで引き上げる。盛り替え階のやや上方まで引き上げた後、(ニ)のように再度下部保持部材２５を突出させ、本体フレーム２１をゆっくり下降させて下部保持部材２５を着床させ、アンカーボルト（図略）等に仮固定する。この後、昇降フレーム２３を少し上昇させて上部保持部材３１を格納し、(ホ)のようにこの状態を保持して昇降フレーム２３を本体フレーム２１まで下降させることにより本体フレーム２１の盛り替えが完了する。
【００１６】
従って、クレーンを必要とせずにセルフクライミング方式にて本体フレーム２１の盛り替えが可能である。これにより、昇降フレーム２３を順次上階にリフトアップすることで、低層階から上層階までシステム型枠を揚重して盛り替えることができる。前記のようにシステム型枠のみならず、他の建築資材を混載し或は単独で揚重することも可能である。
【００１７】
ところで、本体フレーム２１の盛り替え後は、下方階の開口部を早期に閉塞する必要があり、ＲＣ造の場合は従来、下階の床上に足場を組むなどして開口部の配筋、型枠作業を行っているが、高所作業のため危険であり能率も悪かった。しかしながら、本発明に係るシザース式リフターを用いれば、先に閉塞した下階で型枠ユニットの組立作業を行い、これを上階の開口部に吊り上げて配筋作業及びコンクリート打設作業を行うことにより、開口部の閉塞（ダメ処理）を手際良く行うことができる。
【００１８】
図６はその作業時の動作シーケンスを示すもので、先ず(イ)のように塞ぐべき開口部２４の直下階（開口部は既に塞がれている）において、仮置きした架台Ｂ上で大引き、根太、面板で型枠ユニットＵを組み上げる。次いで、(ロ)のように昇降フレーム２３の周辺部にワイヤー又はねじ鉄筋等の吊り部材Ｒを取り付けて垂らし、組み上げた型枠ユニットＵを貫通させて吊り部材Ｒの下端部に抜け止め用のエンドストッパーＥを取り付ける。この後、(ハ)のように昇降フレーム２３を上昇させて型枠ユニットＵを所定の高さまで引き上げると共に、下階においてサポートＰを建て、(ニ)のように型枠ユニットＵを複数のサポートＰで支持した後、型枠ユニットＵ上で配筋作業を行う。配筋後、昇降フレーム２３を下降させて吊り部材Ｒを緩ませ、前記エンドストッパーＥを撤去する。そして、吊り部材Ｒを引き抜いた後、(ホ)のように型枠ユニットＵにコンクリートを打設する。このようにして、下層階から上層階まで順次開口部を閉塞することができる。
【００１９】
尚、本発明に係るリフターは、自力盛り替え可能な荷受けステージとしての利用方法も考えられ、盛り替え機能を有するためクレーン等を使用せずにタイムリーにステージ設置階に移動できるメリットがある。
【００２０】
【発明の効果】
以上説明したように、本発明によれば、昇降フレームを備えたセルフクライミング方式であって、少人数で効率良く揚重作業ができ、本体フレームの盛り替えも簡単にできるようにした開口用リフターにおいて、昇降フレームに吊り部材を取り付け、その下端部を本体フレームが仮固定されている階より下方の階に位置させ、下方階で組み付けた型枠ユニットを吊り部材に保持させ、昇降フレームを上昇させることにより型枠ユニットを所要階まで吊り上げるように構成したので、クレーンを必要とせずに低層階から上層階まで型枠ユニットを揚重して盛り替えることができ、且つ先に閉塞した下階で型枠ユニットの組立作業を行い、これを上階の開口部に吊り上げて配筋作業及びコンクリート打設作業を行うことにより開口部の閉塞（ダメ処理）を手際良く行うことができることから、従来のダメ開口を設けて揚重機を仮設する場合に比して、開口部の閉塞作業を軽減できると共に危険な高所作業を低減することができ、しかも下層階から上層階まで順次開口部を早期に閉塞できるという効果を奏する。
【図面の簡単な説明】
【図１】  本発明に係る開口用リフターの実施形態を示すもので、(イ)は作業時における概略正面図、(ロ)は上面図である。
【図２】  (イ)〜(ニ)は、同開口用リフターの設置又は撤去時の動作シーケンスを示す説明図である。
【図３】  (イ)〜(ハ)は、同開口用リフターの作業時の動作シーケンスを示す説明図である。
【図４】  (イ)、(ロ)は、同開口用リフターでの実際の揚重作業の様子を示す説明図である。
【図５】  (イ)〜(ホ)は、同開口用リフターの本体フレームを上階に盛り替える時の動作シーケンスを示す説明図である。
【図６】  (イ)〜(ホ)は、開口部を閉塞する型枠作業時の動作シーケンスを示す説明図である。
【符号の説明】
２１  本体フレーム
２２  伸縮部材
２３  昇降フレーム
２４  開口部
２５  下部保持部材
２９  制御装置
３１  上部保持部材
３２  スロープ
３３  養生柵
Ｒ  吊り部材
Ｕ  型枠ユニット
【図１】
0003700094.tif 000002
【図２】
0003700094.tif 000003
【図３】
0003700094.tif 000004
【図４】
0003700094.tif 000005
【図５】
0003700094.tif 000006
【図６】
0003700094.tif 000007